(57)【要約】【課題】小型化が可能な携帯機器を提供する。【解決手段】携帯電話機は第１の主表面２ａと、その第１の主表面２ａと反対側に位置する第２の主表面２ｂとを有する第１の筐体２と、第２の筐体２内に配置されて電子部品が取付けられる基板１０１とを備え、第２の主表面２ｂ側に設けられて画像を表示する表示部２０と、第２の主表面２ｂ側に設けられて人が手で押圧することにより信号を入力するための操作ボタン２４ａと、基板１０１と第２の主表面２ｂとの間に設けられて操作ボタン２４ａを支持する支持部１２５とを備える。操作ボタン２４ａが押圧されることにより、表示部２０に表示された画像情報を制御する信号が入力される。第２の主表面２ｂ側にはカメラ部２１が設けられる。第１の筐体２の一方端部２ｉに近い順にカメラ部２１、表示部２０および操作ボタン２４が設けられる。【選択図】　　　　図８
2004147198.tif 000002
【特許請求の範囲】
【請求項１】
第１の主表面と、その第１の主表面と反対側に位置する第２の主表面とを有する第１の筐体と、
前記第１の筐体に回動可能に取り付けられた第２の筐体と、
前記第１の筐体内に配置されて電子部品が取りつけられる基板と、
前記第２の主表面側に設けられて画像を表示する表示部と、
前記第２の主表面側に設けられて、人が手で押圧することにより信号を入力するための操作部と、
前記基板と前記第２の主表面との間に設けられて前記操作部を支持する支持部とを備え、
前記第１の主表面が前記第２の筐体に近接するように折畳まれることが可能である、携帯機器。
【請求項２】
前記操作部が押圧されることにより、前記表示部に表示された画像情報を制御する信号が入力される、請求項１に記載の携帯機器。
【請求項３】
前記支持部は前記基板に向かって延びるリブ状部分を有し、
前記支持部は前記基板との間に空間を形成するように前記基板の上に設けられる、請求項１または２に記載の携帯機器。
【請求項４】
前記第２の主表面側に設けられたカメラ部をさらに備え、
前記第２の筐体に接続される前記第１の筐体の一方端部に近い順に前記撮像部、前記表示部および前記操作部が設けられる、請求項１から３のいずれか１項に記載の携帯機器。
【請求項５】
前記第１の筐体は、前記第２の筐体に接続される一方端部と、前記一方端部と反対側に位置する他方端部とを有し、
前記基板の長さは前記第１の筐体の長さよりも短く、
前記第１の筐体の他方端部と前記基板との間に空間が形成されており、その空間に相手方の音声を使用者に伝達するためのスピーカが設けられている、請求項１から４のいずれか１項に記載の携帯機器。
【請求項６】
前記スピーカと前記操作部とは、フレキシブルプリント基板で接続されている、請求項５に記載の携帯機器。
【発明の詳細な説明】
【０００１】
【発明の属する技術分野】
この発明は携帯機器に関し、特に撮影機能を備えて撮影により得られた画像を表示する機能を有する携帯機器に関する。
【０００２】
【背景となる技術】
近年、携帯電話機が広く普及しているが、その形状としてはストレートタイプ、フリップタイプ、クラムシェルタイプの３種類に大きく分類される。中でもクラムシェルタイプは折り畳むことによる小型化ができるため、他の２つのタイプよりニーズが高い。クラムシェルタイプの携帯電話機は、例えば特開２００１−４５１２３号に開示されている（特許文献１参照）。
【０００３】
クラムシェルタイプの携帯電話機では、携帯電話機の内側面、すなわち、携帯電話機が折畳まれた時に互いに接触する面に液晶表示部が設けられるだけでなく、携帯電話機の外側にも液晶表示部が設けられる。
【０００４】
【特許文献１】
特開２００１−４５１２３号
【０００５】
【発明が解決しようとする課題】
近年、携帯電話機の小型化が求められている。しかしながら、上述のように携帯電話機の外側に液晶表示部が設けられ、さらにその液晶表示部を制御する回路等を基板に設けなければならないため、携帯電話機の小型化が困難であった。
【０００６】
そこで、この発明は上述のような問題を解決するためになされたものであり、小型化が可能な携帯機器を提供することを目的とする。
【０００７】
【課題を解決するための手段】
この発明に従った携帯機器は、第１の主表面と、その第１の主表面と反対側に位置する第２の主表面とを有する第１の筐体と、第１の筐体に回動可能に取り付けられた第２の筐体と、第１の筐体内に配置されて電子部品が取りつけられる基板と、第２の主表面側に設けられて画像を表示する表示部と、第２の主表面側に設けられて、人が手で押圧することにより信号を入力するための操作部と、基板と第２の主表面との間に設けられて操作部を支持する支持部とを備える。第１の主表面が第２の筐体に近接するように折畳まれることが可能である。
【０００８】
このように構成された携帯機器では、携帯機器の第１の筐体の面のうち、折畳んだ時に外側に位置する第２の主表面側に表示部と操作部が設けられている。この操作部は、基板と第２の主表面との間に設けられて操作部を支持する支持部によって支持されるため、基板には、操作部と連結されるスイッチ等を設ける必要がない。そのため、基板の面積を小型化できるため、携帯機器自体を小型化することができる。さらに、操作部が第１の筐体内部の基板に支持されている場合に比べて、操作部の長さ（第１の筐体の厚み方向に沿った長さ）を小さくすることができる。そのため、操作部を押圧する際のストロークを小さくすることができ、安定して操作部を押圧することができる。
【０００９】
好ましくは、操作部が押圧されることにより、表示部に表示された画像情報を制御する信号が入力される。この場合、表示部と、その表示部に表示される画像情報を制御するための信号を入力する操作部とが同じ第２の主表面に設けられるため、表示部を視認しながら操作部により信号を入力することができる。
【００１０】
好ましくは、支持部は基板に向かって延びるリブ状部分を有し、支持部は基板との間に空間を形成するように基板の上に設けられる。この場合、支持部と基板との間に空間が形成されるため、この空間に電子部品を実装することができる。そのため、基板上に高い密度で携帯機器の部品を実装することができ、携帯機器の小型化が実現可能となる。
【００１１】
好ましくは、携帯機器は、第２の主表面側に設けられたカメラ部をさらに備える。第２の筐体に接続される第１の筐体の一方端部に近い順に撮像部、表示部および操作部が設けられる。この場合、厚みが厚い順に、撮像部、表示部および操作部が設けられるため、一方端から離れるにつれて厚みが薄くなるような、デザイン性に優れた携帯機器を提供することができる。
【００１２】
好ましくは、第１の筐体は、第２の筐体に接続される一方端部と、一方端部と反対側に位置する他方端部とを有する。基板の長さは第１の筐体の長さよりも短い。第１の筐体の他方端部と基板との間に空間が形成されており、その空間に相手方の音声を使用者に伝達するためのスピーカが設けられている。この場合、第１の筐体の他方端部と基板との間の空間にスピーカーを収納できるため、携帯機器を薄型化することができる。
【００１３】
好ましくは、スピーカと操作部とは、フレキシブルプリント基板で接続されている。
【００１４】
【発明の実施の形態】
以下、この発明の実施の形態について図面を参照し説明する。ここでは撮影機能を有した携帯電話機を例示しているが、適用される機器はこれに限定されない。たとえば、デジタルカメラ、カメラ機能を有したＰＤＡ（Ｐｅｒｓｏｎａｌ　Ｄｉｇｉｔａｌ　Ａｓｓｉｓｔａｎｔｓ）などであってもよい。
【００１５】
図１は、本実施の形態に係るクラムシェルタイプのカメラ付の携帯電話機１を開いた状態での外観を示す斜視図である。図２は、図１に示された携帯電話機１の背面側からの外観を示す斜視図である。図３は、携帯電話機１を折り畳んだ状態での外観を示す斜視図である。図４は、携帯電話機１を折り畳んだ状態での外観を示す側面図である。
【００１６】
図１を参照して、携帯電話機１は第１の筐体２と第２の筐体３からなり、第１の筐体２と第２の筐体３はヒンジ４を介して連結される。第１の筐体２と第２の筐体３は、ヒンジ４を軸として角変位自在に動くことで図３のように折り畳み可能に構成されている。
【００１７】
図１に示す携帯電話機１は第１の筐体２に表示部５を備える。表示部５は携帯電話機１が折り畳まれた時に内側に位置するように配置されている。表示部５は液晶ディスプレイやＥＬ（Ｅｌｅｃｔｒｏ　Ｌｕｍｉｎｅｓｃｅｎｔ）ディスプレイなどで構成され、第１表示ドライバ部を介して与えられる画像データに基づく画像を表示する。また、表示部５の上部には通話時などに使用するスピーカ６を備える。
【００１８】
第２の筐体３には、数字および文字を入力するためのキーなどから構成される入力ボタン群７、携帯電話機１における各種設定／機能切替を行うための機能ボタン群８、電源のＯＮ／ＯＦＦ切替を行う電源ボタン９、カメラモードへ切りかえるためのカメラボタン１０、後述するカメラ機能、メール機能とガイダンス表示を行うメール／ガイダンス用ボタン１１、通話開始とスピーカ受話を行う開始／スピーカ受話ボタン１２、および機能選択画面での上下左右選択と決定を行う４方向ボタンと中央の決定ボタン（シャッタボタン）で構成されるマルチガイドボタン１３が、ユーザの操作が可能なように備えられる。さらに、第２の筐体３は下部に通話用のマイク１４を備える。
【００１９】
携帯電話機１の第２の筐体３のこれらの配置は、ヒンジ４、機能ボタン群８、入力ボタン群７、マイク１４の順番に配置するのが普通であるが、これに限定されるものではない。
【００２０】
図３または図４に示すように、第１の筐体２の表示部５の背面は、ヒンジ４側から順番にカメラ部２１とライト部２２が並んで配置され、表示部２０、シャッタボタン２３および操作ボタン２４ａと２４ｂが続いて配置される。
【００２１】
表示部２０は携帯電話機１が折り畳まれた時に筐体の外側に位置するように配置されて、液晶ディスプレイやＥＬディスプレイなどで構成される。ここでは表示部２０の表示可能領域は表示部５よりも小さいとしているが、大きくてもよく、また同じ大きさであってもよい。表示部２０には後述する第２表示ドライバ部４４を介して与えられる撮影による画像データ、ならびに時刻、電波強度およびメール受信などを報知するためのキャラクタ画像のデータに基づく画像が表示される。
【００２２】
このように表示部５および表示部２０のそれぞれは、携帯電話機１が開いた状態において、携帯電話機１の外表面に位置するように設けられる。
【００２３】
カメラ部２１は撮影レンズ、ＣＣＤイメージセンサあるいはＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサなどの撮影素子およびＲＧＢの３色のカラーフィルタを備える。カメラ部２１は被写体で反射されて撮影レンズに入射した光を、カラーフィルタを通してＲＧＢの３色光に変換し、ＲＧＢの３色光はそれぞれＣＣＤに入射する。図２に示すようにカメラ部２１は携帯電話機１が折り畳まれた時には表示部５の背面であって、かつヒンジ４と表示部２０との間に位置するように設けられる。ユーザは携帯電話機１を開いた状態でカメラ部２１により撮影する時には、第２の筐体３を持って撮影する。
【００２４】
ライト部２２は、カメラ部２１で撮影する際の補助光源として使われる。一般的に補助光源にはキセノン管を用いるものが多いが、最近ではＲＧＢのＬＥＤ（ｌｉｇｈｔ　Ｅｍｉｔｔｉｎｇ　Ｄｉｏｄｅ）が用いられる。これらＬＥＤを同時発光させて、白色光の照明を得ることができる。
【００２５】
シャッタボタン２３は、第１の筐体２の表示部５の背面中央に配置されて、かつ図３に示す携帯電話機１を折り畳んだ状態では表示部２０の下側に位置する。この位置にシャッタボタン２３を配置することにより、ユーザは折り畳んだ状態で簡単にシャッタボタン２３の位置を確認し、容易にシャッタ操作することができる。
【００２６】
シャッタボタン２３の両横には、表示部２０の表示情報を確認しながら各種のデータ設定または操作を行うための操作ボタン２４ａと２４ｂが設けられている。操作ボタン２４ａと２４ｂは、表示部２０における情報の表示と連動して、各種機能設定、アドレス帳の表示または検索、メールの確認、表示および発信などをするために操作される。また、操作ボタン２４ａと２４ｂを操作することにより撮影時のズームインまたはズームアウト動作や複数の画像を順送りしながらの表示または逆送りしながらの表示の動作などを行なわせることができる。
【００２７】
第２の筐体３の入力ボタン群７および機能ボタン群８の背面にはアンテナ部２５、昇降可能なヘリカル部２６、バッテリを格納するバッテリ部２７および着信音を鳴らすためのスピーカ２８が備えられる。
【００２８】
図３と図４を参照して、第１の筐体２はヒンジ４を通して第２の筐体３と機構的に接続されるが、ヒンジ４内には第１の筐体２と第２の筐体３を電気的に接続するための図示されない可撓性基板（フレキシブルプリント基板）が組み込まれている。
【００２９】
携帯電話機１のカメラ部２１を用いて被写体の撮影を行う場合の利用方法を、図５と図６を用いて説明する。図５に示す被写体３０を撮影する場合の一般的な利用方法では、ユーザは携帯電話機１を開き、カメラ部２１を被写体３０に向けて撮影してユーザは表示部５をファインダとして利用する。シャッタ操作のためにはマルチガイドボタン１３の中央の決定ボタンを使用するが、第１の筐体２の背面に備えたシャッタボタン２３を使用することも可能である。
【００３０】
図６にはユーザがカメラ部２１を用いてユーザ自身を撮影する場合の一般的な利用方法が示される。この場合、ユーザは表示部２０をファインダとして利用することにより、撮影されたユーザ自身の画像を確認しながらシャッタボタン２３を押下することによりシャッタ操作することができる。
【００３１】
一般的な携帯電話機では、表示部２０で画像を表示する際には、画像確認時の違和感をなくすため、画像を左右反転させて鏡に映した像のように表示することが多いが、それに限定されるものではない。なお、携帯電話機１では、折り畳んだ状態でユーザ自身を撮影できるので使い勝手が良い。なお、ユーザ自身の撮影は携帯電話機１を折り畳んだ状態で使用する形態に限定されず、開いた状態で撮影することもできる。
【００３２】
次に携帯電話機１の内部構成について、図７を参照して説明する。
図７は、この発明の実施の形態に従った携帯電話機の第１の筐体の平面図である。図８は、図７中のＶＩＩＩ−ＶＩＩＩ線に沿った断面図である。図７および図８を参照して、この発明に従った携帯電話機は、第１の主表面２ａと、その第１の主表面２ａと反対側に位置する第２の主表面２ｂとを有する第１の筐体２と、第１の筐体２に回動可能に取付けられた第２の筐体３（図７および８では示さず）と、第１の筐体２内に配置されて電子部品が取付けられる基板１０１とを備える。第１の主表面２ａが第２の筐体３に近接するように折畳まれて携帯電話機は収納される。携帯電話機は、第２の主表面２ｂ側に設けられて画像を表示する表示部２０と、第２の主表面２ｂ側に設けられて人が手で押圧することにより信号を入力するための操作部２４と、基板１０１と第２の主表面２ｂとの間に設けられて操作部２４を支持する支持部１２５とを備える。
【００３３】
操作ボタン群としての操作部２４が押圧されることにより、表示部２０に表示された画像情報を制御する信号が入力される。
【００３４】
支持部１２５は、基板１０１から第２の主表面２ｂに向かって延びるリブ状部分１２５ａを有する。支持部１２５は基板１０１との間に空間を形成するように基板１０１上に設けられる。
【００３５】
携帯電話機は、第２の主表面２ｂ側に設けられたカメラ部２１をさらに備える。第２の筐体３に接続される第１の筐体２の一方端部２ｉに近い順にカメラ部２１、表示部２０および操作部２４が設けられる。
【００３６】
第１の筐体２は、第２の筐体３に接続される一方端部２ｉと、一方端部２ｉと反対側に位置する他方端部２ｔとを有する。基板１０１の長さは第１の筐体２の長さよりも短い。第１の筐体２の他方端部２ｔと基板１０１との間に空間１０２が形成されている。その空間１０２に相手方の音声を使用者に伝達するためのスピーカ６が設けられている。
【００３７】
第２の筐体２は、フロント筐体１２１とリア筐体１２２とにより構成される。フロント筐体１２１およびリア筐体１２２が形成する内部空間にメイン基板としての基板１０１が収納される。基板１０１の第１の主表面２ａ側には、表示部５が設けられる。表示部５はメイン液晶であり、携帯電話機が受取った画像情報、さらには、カメラ部２１が撮影する映像を表示することが可能である。表示部５は、透明の保護窓１５３により保護されている。
【００３８】
基板１０１の第２の主表面２ｂ側には、サブ液晶としての表示部２０が設けられている。サブ液晶としての表示部２０も、表示部５と同様に携帯電話機が受信した情報またはカメラ部２１が撮影した映像を表示することが可能である。表示部２０は、透明の保護窓１５２により保護されている。
【００３９】
表示部２０と一方端部２ｉとの間には、カメラ部２１が設けられている。カメラ部２１は第１の主表面２ａから第２の主表面２ｂに亘って延びるように形成されており、基板１０１上には載置されていない。カメラ部２１は、透明の保護窓１５１により覆われ、保護窓１５１を介して外部の映像を撮影することができる。
【００４０】
保護窓１５２に隣接するように操作部２４の操作ボタン２４ａが設けられる。操作ボタン２４ａは台座としての支持部１２５により支持される。支持部１２５は基板１０１と第２の主表面２ｂとの間に設けられ、パッドの役割を果たす。支持部１２５は基板１０１と全面に亘って接触しているわけでなく、支持部１２５は、一部分、たとえばリブ状部分１２５ａにより基板１０１に支持される。そのため、基板１０１と支持部１２５との間には空間が形成され、この空間内に電子部品などのさまざまな機器を収納することができる。
【００４１】
基板１０１と、第１の筐体２の他方端部２ｔとの間には所定の空間が形成されており、この空間１０２にスピーカ（レシーバ）６が配置されている。スピーカ６は基板１０１上には配置されていないため、他方端部２ｔの厚みを薄くすることができる。
【００４２】
図９は、図８で示す基板１０１の平面図である。図９を参照して、基板１０１には、さまざまな電子部品１６１が実装される。これらの電子部品１６１は、たとえば表示部２０に表示される情報を制御するための機能を有する。電子部品１６１の上方に位置するように支持部１２５が設けられる。支持部１２５に隣接するように表示部２０が設けられる。表示部２０で表示するための画像を撮影するカメラ部２１が基板１０１から離れて設けられる。
【００４３】
図１０は、第２の筐体の内部構造を詳細に示す図である。図１０を参照して、支持部１２５上には、操作部２４に対応するように３つのスイッチ１２６ａから１２６ｃが設けられている。スイッチ１２６ａが操作ボタン２４ａ下に位置し、スイッチ１２６ｂがシャッタボタン２３下に位置し、スイッチ１２６ｃが操作ボタン２４ｂ下に位置する。
【００４４】
各々のスイッチ１２６ａから１２６ｃはフレキシブルプリント基板１２７上に配置されている。シャッタボタン２３ならびに操作ボタン２４ａおよび２４ｂが押圧されると、スイッチ１２６ａから１２６ｃ内の接触スイッチが機能して所定の情報を基板１０１へ伝える。スイッチ１２６ａから１２６ｃはフレキシブルプリント基板１２７を介してコネクタ（ボードｔｏボートコネクタ）１３１に接続される。コネクタ１３１はフレキシブルプリント基板１２７と基板１０１とを接続する。このコネクタ１３１により、フレキシブルプリント基板１２７上の素子と基板１０１とが接続され、これらの間で情報のやり取りが行なわれる。
【００４５】
フレキシブルプリント基板１２７上には、さらにスピーカ６およびバイブモータ１３０が設けられる。
【００４６】
次に、図１から図１０で示した携帯電話機の動作について説明する。
【００４７】
【表１】
2004147198.tif 000003
【００４８】
【表２】
2004147198.tif 000004
【００４９】
表１および表２は、操作ボタン２４ａおよび２４ｂならびにシャッタボタン２３を押したときの携帯電話機の動作を示す表である。シェルが閉じているとき、すなわち図３から図４で示すように、携帯電話機１が収納されているときシャッタボタン２３ならびに操作ボタン２４ａおよび２４ｂを押すと、表１で示すような動作をする。なお、表１中「待受け（ピクト有り）」とは、表示部２０にバッテリの絵および／またはアンテナの絵が表示されていることを言う。
【００５０】
「待受け（ピクト無し）」とは、表示部２０にバッテリの絵およびアンテナの絵のいずれもが表示されていないことを言う。
【００５１】
また「長押し」とは、２秒以上ボタンを押すことを言う。
シェルが開かれているとき、すなわち図１および図２で示すように、携帯電話機１が折畳まれていないときには、表２で示すような動作をする。
【００５２】
以上のようなこの発明に従った携帯電話機１では、台座としての支持部１２５が操作部２４を支えている。そのため、操作部２４を押圧するときに、操作部２４のストロークを短くすることができる。その結果、ストロークが長い場合に比べて確実に操作ボタン群を構成するシャッタボタン２３および操作ボタン２４ａおよび２４ｂを押圧することができ、操作者が確実に操作をすることができる。さらに、支持部１２５は基板１０１との間に空間を形成するように配置されているため、基板１０１と支持部１２５との間の空間に電子部品を実装することができる。その結果、基板１０１上のスペースを効率よく使用することができ、基板１０１の小型化、さらには第２の筐体２の小型化に寄与することができる。また、基板１０１を小型化することにより、基板１０１と第２の筐体２の他方端部２ｔとの間に空間１０２が生じる。この空間１０２にスピーカ６を収納することにより、他方端部２ｔを薄型化することができ、デザイン性に優れた携帯電話機１を提供することができる。
【００５３】
なお、以上説明した携帯電話機は、さまざまに変形させることが可能である。まず、上記の実施の形態では、カメラ付きの携帯電話機を示したが、これに限られるものではなく、カメラがない携帯機器および携帯電話に本発明を適用してもよい。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５５】
【発明の効果】
この発明に従えば、小型化および薄型化が可能な携帯機器を提供することができる。
【００５６】
また、この発明に従えば、操作部を押圧するときのストロークが短い携帯電話機を提供できる。
【図面の簡単な説明】
【図１】本実施の形態に係るクラムシェルタイプのカメラ付の携帯電話機１を開いた状態での外観を示す斜視図である。
【図２】図１に示された携帯電話機１の背面側からの外観を示す斜視図である。
【図３】携帯電話機１を折畳んだ状態での外観を示す斜視図である。
【図４】携帯電話機１を折畳んだ状態での外観を示す側面図である。
【図５】携帯電話機１のカメラ部２１を用いて被写体の撮影を行なう場合の利用方法を示す図である。
【図６】携帯電話機１のカメラ部２１を用いて被写体の撮影を行なう利用方法を示す図である。
【図７】図１で示す第１の筐体２の平面図である。
【図８】図７中のＶＩＩＩ−ＶＩＩＩ線に沿った断面図である。
【図９】図８中の基板を詳細に説明する平面図である。
【図１０】第２の筐体の内部構成を示す平面図である。
【符号の説明】
１　携帯電話機、２　第１の筐体、２ａ　第１の主表面、２ｂ　第２の主表面、２ｉ　一方端部、２ｔ　他方端部、３　第２の筐体、２０　表示部、２１　カメラ部、１０１　基板、１０２　空間、１２５　支持部、１２５ａ　リブ状部分。
【図１】
2004147198.tif 000005
【図２】
2004147198.tif 000006
【図３】
2004147198.tif 000007
【図４】
2004147198.tif 000008
【図５】
2004147198.tif 000009
【図６】
2004147198.tif 000010
【図７】
2004147198.tif 000011
【図８】
2004147198.tif 000012
【図９】
2004147198.tif 000013
【図１０】
2004147198.tif 000014